(57)【特許請求の範囲】
【請求項１】
矩形の外枠と、該外枠に開閉可能に支持された内枠とを有し、外枠の前面開口部を内枠で塞いで遊技盤の遊技部を前面に臨ませた遊技機において、
上記外枠及び内枠を合成樹脂により成形し、
内枠の閉状態で該内枠に相対する外枠の前面接合部分に、前方が開口する凹溝を形成し、内枠の裏面接合部分には、内枠を閉じると上記凹溝に嵌合する嵌合突起部材を設け、
該嵌合突起部材と凹溝との嵌合によって、遊技機外部からの異物の挿入を阻止する異物侵入阻止部を構成し、
上記凹溝の内部に止着部を形成し、電気的部材を当該凹溝内に収納するとともに当該止着部に止着したことを特徴とする遊技機。
【請求項２】
上記内枠の上半を全幅にわたって被うようにガラス枠を内枠に開閉可能に軸着し、該ガラス枠を閉じるとガラスを通して上記遊技部を見られるように構成し、
上記外枠の上横部材における上記凹溝内部の止着部にランプ基板を止着し、
上記内枠には、ランプ基板の位置に対応させるように開口窓を開設し、
上記ガラス枠には、ランプ表示器を設け、上記ランプ基板のランプが上記開口窓を通して当該ランプ表示器のレンズを照らし得るように構成したことを特徴とする請求項１に記載の遊技機。
【発明の詳細な説明】
【０００１】
【産業上の利用分野】
本発明は、外枠に内枠を開閉可能に支持したパチンコ遊技機やスロット遊技機（パチスロ遊技機）などの遊技機に関するものである。
【０００２】
【従来の技術】
従来、パチンコ遊技機などの遊技機は、外枠と該外枠に開閉可能に支持される内枠とから成り、この外枠と内枠は一般的にはベニヤ板などの木材で構成されている。
【０００３】
また、近年は、遊技機の主要部分である外枠と内枠とを合成樹脂により成型したものも開発されている。木材の使用をやめ、合成樹脂製に切り換えることは、ライフサイクルが比較的短いパチンコ遊技機において、リサイクルを容易にするとともに、木材という天然資源の保護に寄与し得るという長所を有するものである。
【０００４】
【発明が解決しようとする課題】
しかしながら、外枠と内枠とを合成樹脂製にすると、合成樹脂が木材に比較して撓みやすいという特性を有するため、内枠と外枠との接合部分に力を加えると、接合部分に容易に隙間を生じさせることが可能である。このため、内枠を閉じた状態での外枠と内枠との隙間からピアノ線などの異物を挿入されて不正行為が行なわれる可能性を生じる。
【０００５】
そこで、本発明の目的は、上記課題を解決し、合成樹脂製の内枠及び外枠の強度を確保しつつ且つ内枠と外枠との間に異物を挿入される不正行為に対する防犯機能を確実にした遊技機を提供しようとするものである。
【０００６】
【課題を解決するための手段】
本発明は上記目的を達成するために提案されたもので、請求項１のものは、矩形の外枠と、該外枠に開閉可能に支持された内枠とを有し、外枠の前面開口部を内枠で塞いで遊技盤の遊技部を前面に臨ませた遊技機において、
上記外枠及び内枠を合成樹脂により成形し、
内枠の閉状態で該内枠に相対する外枠の前面接合部分に、前方が開口する凹溝を形成し、内枠の裏面接合部分には、内枠を閉じると上記凹溝に嵌合する嵌合突起部材を設け、
該嵌合突起部材と凹溝との嵌合によって、遊技機外部からの異物の挿入を阻止する異物侵入阻止部を構成し、
上記凹溝の内部に止着部を形成し、電気的部材を当該凹溝内に収納するとともに当該止着部に止着したことを特徴とする遊技機である。
【０００７】
請求項２に記載のものは、上記内枠の上半を全幅にわたって被うようにガラス枠を内枠に開閉可能に軸着し、該ガラス枠を閉じるとガラスを通して上記遊技部を見られるように構成し、
上記外枠の上横部材における上記凹溝内部の止着部にランプ基板を止着し、
上記内枠には、ランプ基板の位置に対応させるように開口窓を開設し、
上記ガラス枠には、ランプ表示器を設け、上記ランプ基板のランプが上記開口窓を通して当該ランプ表示器のレンズを照らし得るように構成したことを特徴とする請求項１に記載の遊技機である。
【０００８】
【作用】
請求項１に記載の遊技機では、内枠の閉状態で該内枠に相対する外枠の前面接合部分に、前方が開口する凹溝を形成し、内枠の裏面接合部分には、内枠を閉じると上記凹溝に嵌合する嵌合突起部材を設け、該嵌合突起部材と凹溝との嵌合によって異物侵入阻止部を構成したので、この異物侵入阻止部が外枠と内枠との間の隙間から差し込まれた異物の挿入を確実に阻止する。
また、異物侵入阻止部を構成する凹溝が外枠の強度を、嵌合突起部材が内枠の強度を高める補強材として機能する。したがって、外枠と内枠を合成樹脂で成形しても必要十分な強度を確保でき、特に板状の前面枠の強度が嵌合突起部材により顕著に高められる。
【０００９】
また、異物侵入阻止部を構成する凹溝の内部を電気的部材の収納空間として利用できる。したがって、電気的部材の設置スペースを別途必要としないし、遊技機の端にもランプ表示器などを配置することが可能になる。
【００１０】
【実施例】
以下、本発明の実施例を図面に基づいて説明する。
図１は代表的な遊技機であるパチンコ遊技機１の正面図、図２はパチンコ遊技機１の斜視図、図３はガラス枠２を開いた状態のパチンコ遊技機１の斜視図、図４は内枠（前面枠）３を外した状態のパチンコ遊技機１の斜視図、図５はパチンコ遊技機１の背面図である。
【００１１】
パチンコ遊技機１は、前後が開放した矩形の外枠（機枠）４と、該外枠４の一側（本実施例では図中左側）に上下のヒンジ５，５により外枠４の前面開口部分に対して開閉可能に軸着した額縁状の内枠３と、該内枠３の一側にヒンジ６，６により開閉可能に軸着して内枠３の上半を全幅にわたって被うようにして設けたガラス枠２と、該ガラス枠２の下方一側にヒンジ（図示せず）により開閉可能に軸着して内枠３の下半を全幅にわたって被うようにして設けた開閉パネル７などからなり、内枠３の窓部から後方に一体成形した遊技盤収納枠８内に遊技盤９を装着してガラス枠２を閉じると、遊技盤９の表面に形成した遊技部１０がパチンコ遊技機１の前面に臨んで、この遊技部１０を遊技者がガラス枠２のガラス１１を通して見られるように構成されている。
【００１２】
そして、内枠３は、施錠装置の一部を構成するフック１２によって外枠４の他側の係止部材１３に施錠され、また、ガラス枠２は、施錠装置を構成する他のフック１４によって内枠３の他側に施錠され、これらは内枠３の上部一側に設けたシリンダ錠１５の鍵穴に差し込んだ鍵を一方に回動すると内枠３が、他方に回動するとガラス枠２が解錠する構成となっている。
【００１３】
また、開閉パネル７の表面に上皿１７を、開閉パネル７の下側の内枠３の前面部分１６には下皿１８と打球発射装置１９の発射操作ハンドル２０をそれぞれ設けてある。
【００１４】
また、本実施例におけるガラス枠２は、上部両隅角部に切欠部を形成し、自由端側の切欠部２１によって内枠３の閉止状態におけるシリンダ錠１５の肉厚な取付部分２２との干渉を回避し、軸着基端側の切欠部によってヒンジ５との干渉を回避する。この様に、シリンダ錠１５を内枠３の上部一側に配設すると、パチンコ遊技機１の前に遊技者が座っていたとしても、周囲からはシリンダ錠１５が良く見えるので、即ち店員が監視し易い位置にあるので、シリンダ錠１５に対する不正行為を有効に防止する効果がある。
そして、ガラス枠２の軸着基端側上部には、賞球ランプ２３と完了ランプ２４を一体化したランプ表示器を、上部中央部分にはパイロットランプ２５をそれぞれ設けてある。また、ガラス枠２の開口部の内縁下部および左右には、全体として略Ｕ字状に装飾ランプ表示器２６のレンズ部材を配置し、左右のレンズ部材の途中にはスピーカ２７，２７を設け、下部のレンズ部にはメッセージ表示部２８を設けてある。このメッセージ表示部２８は、例えば“３．７ラッキー  ４．９交換”等を表示した表示札を出し入れ可能に収納してメッセージ表示できるようにしたものである。
【００１５】
外枠４は、ＡＢＳ樹脂などの合成樹脂により、上横部材４ａ、下横部材４ｂ、左縦部材４ｃ、及び右縦部材４ｄを有して前後が開放した矩形の枠体として成型されており、前面開口部分の下部には前面部４ｅを一体に形成して強度を高めてある。また、図７及び図８に示すように、上横部材４ａの上面側、下横部材４ｂの下面側にはそれぞれ大きな補強リブ３１…により区画して有底空部３２…を形成してある。即ち、外枠４の外周面に凹部状の空部３２…を形成して肉厚を調整すると共に、各空部３２間に補強リブ３１を形成して所要の強度を確保している。なお、左縦部材４ｃの左側面側、および右縦部材４ｄの右側面側にもそれぞれ補強リブ３１を形成して補強してもよい。
【００１６】
また、補強リブ３１には、外枠４の上横部材４ａ及び下横部材４ｂのそれぞれに、島設備への取付部材である釘を通すための貫通孔３３を両端近傍に形成する。そして、上横部材４ａの貫通孔３３は横長孔として形成し、下横部材４ｂの貫通孔３３は、釘１本に対応する丸孔を外枠４の前後方向に３連に配置した形態で形成されている。
【００１７】
また、左右の縦部材４ｃ，４ｄの上端近傍の外側面および下端近傍の外側面には、後述する補強金属板３４の厚さに対応した段部３５を形成する。上端近傍に形成する段部３５は前後長さの全長にわたって形成し、下端近傍に形成する段部３５は前後長さの内、前方の一部を残して形成し、補強金属板３４を取り付けた際に、補強金属板３４の外面と左右の縦部材４ｃ，４ｄの外面とがほぼ面一になるように構成する。
【００１８】
このように構成された外枠４には、図５に示すように、遊技盤収納枠８の裏側に取り付けた球排出装置等の裏メカユニット（裏機構）３７を担持する内枠３が上下のヒンジ５，５により取り付けられる。したがって、外枠４はこの重量に耐える強度を充分に有する必要があり、上記補強リブ３１による構成はこの要求に対して充分な強度を提供するものとなる。しかし、反面、この外枠４を島設備に取り付ける場合、外枠４の上横部材４ａの上面及び下横部材４ｂの下面が島設備に対して接触する面積が補強リブ３１の端縁の総面積と横部材４ａ，４ｂの周縁の総面積との和となるため、従来の木枠の場合に比べ非常に小さくなり、頑丈な設置が困難となる。
【００１９】
そこで、外枠４の上横部材４ａの上面には、島設備との接触面を形成する補強金属板３４を取り付け、また外枠４の下横部材４ｂの下面には、同じく島設備との接触面を形成する補強金属板３９を取り付ける。
【００２０】
上横部材４ａの上面に添設する補強金属板３４は、鉄板やアルミニウム板などをコ字状に屈曲した部材であり、図７に示すように、外枠４の上横部材４ａの上面の左右全長を被う平面部４０と、その両端にＬ字状に折り曲げて形成した外枠４側面の一部を被う側面部４１，４１とを有し、この側面部４１，４１に設けた小孔４２…により外枠４の側面にネジ止めされる。
【００２１】
一方、下横部材４ｂの下面に添設する補強金属板３９は、上横部材４ａに添設する補強金属板３４と同様の構成であるが、前後幅は、下横部材４ｂの前後長さよりも短く設定してある。これに対して、上記した上横部材用補強金属板３４は、上横部材４ａの前後長さの全域を被う前後長さに設定してある。この様に、下横部材４ｂに添設する補強金属板３９の前後幅を狭くした理由は、外枠４の取り付けた状態で、補強金属板３９の外面が外枠４の外面とほぼ面一になり、しかも前端縁が段部３５に隠されて遊技者から見えなくなり、これにより見栄えを良くするためである。なお、上横部材４ａに取り付ける補強金属板３４は、遊技者の視線が届き難いので、前端縁が見えても目立たない。
【００２２】
外枠４は、上横部材４ａの上面及び下横部材４ｂの下面が補強金属板３４，３９の各平面部４０で被われて空部３２の開口部分が閉塞されるので、島設備との接触面が大きくなり、強固な取付が可能となる。また、外枠４の縦部材４ｃ，４ｄの側面の隅角部が補強金属板３４，３９の側面部４１，４１により被われるため、外枠４自体の強度（剛性）が補強リブ３１による補強と相俟って著しく高められ、補強を確実なものとしている。
【００２３】
また、上面側の補強金属板３４の側面部４１には、内枠開閉用ヒンジ５を構成するヒンジ部材として、筒状軸受部５ａを一体に設ける。この様に、補強金属板３４にヒンジ５の軸受部５ａを一体に形成すると、内枠３や裏メカユニット３７等の重量が大きくても、この大きな重量を上横部材４ａの全面に分散させることができるので、外枠４に局部的な負荷を掛けることを防止することができ、これにより内枠３等を強固且つ安定した状態で支持することができる。しかも、従来の様に、ヒンジ５の軸受部５ａを別個に作成する場合に比較して、その製造コストの低減を図ることができる。
【００２４】
また、上横部材４ａに取り付ける補強金属板３４の島設備との接触面、即ち平面部４０には、島設備との接触抵抗を更に大きくするために滑べり止め突起４４を切り起こしにより形成すると共に、釘を挿通するために上横部材４ａの貫通孔３３に対応する位置に横長の貫通孔４５を開設する。
一方、下横部材４ｂの補強金属板３９には、その貫通孔３３…に対応する３つの貫通孔４６…を開設する。
【００２５】
外枠４は、この上横部材４ａの貫通孔４５，３３に通した釘を打って上部を島設備の上横材に止着した後、下部を前後動することにより所定の傾斜角度に調整し、その角度調整された姿勢位置で下横部材４ｂの貫通孔４６，３３に釘を通して打ち付けることにより下部を島設備の下横材に固定し、これにより島設備に所定の傾斜角度で設置される。したがって、補強金属板３９は島設備との接触面として機能する他、その貫通孔４６が設置角度の調整補助手段として機能することになる。そして、この様にして島設備に設置すると、補強金属板３４と島設備との面接触に加えて、補強金属板３４の滑べり止め突起４４…が島設備の木製上横材に食い込むので、パチンコ遊技機１は初期の設置角度を維持する。
なお、外枠４を島設備に固定する取付部材は、釘に限定されるものではなく、例えば木ねじ、ボルトなどでもよい。
【００２６】
外枠４と内枠３は合成樹脂製なので、不正行為を防止するための構成も容易に設けることができ、内枠の閉状態で相対する内枠及び外枠の接合部分の一方には、相手側に開口する凹溝を形成し、他方の接合部分には、内枠を閉じると上記凹溝に嵌合する嵌合突起部材を設け、該嵌合突起部材と凹溝との嵌合によって、遊技機外部から差し込まれるピアノ線などの異物の挿入を阻止する異物侵入阻止部を構成する。
【００２７】
本実施例では、外枠４の上下の横部材４ａ，４ｂおよび左右の縦部材４ｃ，４ｄの各前端面に受け凹溝５１を形成し、内枠３の裏面に嵌合突起部材を設けている。即ち、図４および図６に示すように、外枠４の上横部材４ａ、下横部材４ｂ、左縦部材４ｃ、および右縦部材４ｄの各部材の接合部分（前端縁部分）を合成樹脂により断面コ字状に一体に形成し、これにより各外枠構成部材の全長にわたって受け凹溝５１が一連に形成されて前面側に開口される。
【００２８】
また、図９および図１２に示すように、受け溝５１内には中間部分に止着部としてボス部５２を有する補強リブ５３を両側の受け溝内壁間に形成し、これら補強リブ５３と受け凹溝５１とで外枠４の補強部を構成している。なお、補強リブ５３のボス部５２は、一部の補強リブ５３に形成するようにしてもよい。また、内枠の軸着基端側であるヒンジ５，５側の左縦部材４ｃには、図１１に示すように、左縦部材４ｃの前端縁近傍の内面に開口部が外枠４の内側（右側）に開口した一条の凹溝５４を上下方向に形成する。そして、図面に示す実施例では受け凹溝の一方の内壁を後退させて凹溝５４を受け凹溝の外部に形成したが、内壁を後退させることなく、受け凹溝内に凹溝を形成してもよい。
【００２９】
この様に、本実施例における外枠は、上横部材４ａ、下横部材４ｂ、左縦部材４ｃ、及び右縦部材４ｄを有して前後が開放した矩形の枠体として成型されており、枠体の主要構成部材４ａ，４ｂ，４ｃ，４ｄのそれぞれが、前半部分は前面が開口して補強リブ５３で補強された断面コ字形のボックス状に成型され、後半部分は補強リブ３１で補強された有底空部３２付の板状に成型されている。したがって、外枠４は、合成樹脂製であっても、各構成部材４ａ，４ｂ，４ｃ，４ｄは勿論のこと全体としても必要且つ十分な強度を確保することができる。
【００３０】
一方、内枠３の裏面側には、図４に示すように、内枠３を閉じると外枠４の受け溝５１内或は凹溝５４内に嵌合する嵌合突起部材として忍び返し用金属プレート５５ａ，５５ｂ，５５ｃ，５５ｄを上下左右の各辺に取り付ける。
【００３１】
内枠３の上片、下辺、および右辺の裏面に取り付けられて、外枠４の上横材４ａ、下横材４ｂ、および右横材４ｄの各受け凹溝５１内に嵌合する忍び返し用金属プレート５５ａ，５５ｂ，５５ｄは、いずれも同様の構成であり、例えば右辺の裏面に取り付ける忍び返し用金属プレート５５ｄは、図１２に示すように、内枠裏面に止着する止着面５５′の一側を後方に折り曲げて嵌合片５５″を形成した長尺な金属屈曲片である。この忍び返し用金属プレート５５ｄを裏面に止着して内枠３を閉じると、嵌合片５５″が外枠４の受け凹溝５１内に嵌合して異物侵入阻止部を構成する。
【００３２】
外枠４と内枠３との間の隙間Ｇからピアノ線等の異物を差し込んだ場合、この差し込んだ異物を更に深く侵入させようとすると、異物の先端が忍び返し用金属プレート５５ｄの嵌合片５５″に当接して侵入が阻止され、無理に押し込んで異物の先端が後方に曲って進んでも、受け凹溝５１の底部が閉塞しているので、これ以上に異物が侵入することを確実に阻止することができる。したがって、外枠４と内枠３との上下および右側の隙間Ｇから異物を侵入させて不正行為が行なわれることを確実に阻止することができる。しかも、上記忍び返し用金属プレート５５ｄ（特に嵌合突起部材の主要部である嵌合片５５″）は金属製なので、加熱されたピアノ線等によって溶かされて突き破られるおそれもない。
【００３３】
なお、異物の先端が嵌合片５５″に当接してから受け凹溝の底部の方に折り曲げ、更に忍び返し用金属プレート５５ｄの嵌合片５５″を超してから異物を折り返して、嵌合片５５″の奥と受け凹溝５１内壁間を通してパチンコ遊技機１の内部に侵入させることは理論上は可能であるが、パチンコ遊技機１の外部から細長い異物の一端を操作して上記の様な動きをなさしめることは事実上できない。したがって、外枠４の受け凹溝５１と内枠３の嵌合突起部材である忍び返し用金属プレート５５ｄの嵌合片５５″との嵌合による異物侵入阻止部により確実に異物の侵入を阻止することができる。
【００３４】
また、上記した忍び返し用金属プレート５５ｄは、内枠３の面に対して起立した嵌合片５５″を全長にわたって有しているので、この忍び返し用金属プレート５５ｄが内枠３の補強材としても機能することとなり、合成樹脂製内枠３の強度（剛性）を高めることができる。
【００３５】
内枠３の左辺の裏面に取り付けられる忍び返し用金属プレート５５ｃは、図１１に示すように、内枠３の裏面に当接して上下に延びる平坦部５６ａと、該平坦部５６ａの一側（ヒンジ５側）から後方にほぼ９０度起立片５６ｂを折り曲げて、さらにその起立片５６ｂの先端部分を平坦部５６ａと平行になるようにほぼ９０度折り曲げて嵌合片５６ｃを形成し、全体の屈曲部分形状がほぼ鈎形となるように成形されている。したがって、内枠３を閉じると、嵌合片５６ｃが図１１に示すように左縦部材４ｃの忍び返し用凹溝５４内に嵌合する。この様に、外枠４及び内枠３のヒンジ側では、嵌合片５６ｃが外枠４の忍び返し用凹溝５４内に嵌合することで異物侵入阻止部が構成される。
【００３６】
この様な構成から成る異物侵入阻止部にあっては、外枠４と内枠３との間の隙間Ｇからピアノ線等の異物を差し込んだ場合、この差し込んだ異物を更に深く侵入させようとすると、異物の先端が折り曲げ縁部の起立片５６ｂに当接して侵入が阻止され、無理に押し込んで異物の先端が後方に折れ曲って進んでも、起立片５６ｂの先端では嵌合片５６ｃが更に屈曲しているので、この嵌合片５６ｃがこれ以上異物が侵入することを確実に阻止することができ、さらに異物の先端部分を万一折り返したとしても、この折り返した異物先端は凹溝５４の底部に当接して行く手を阻まれる。
【００３７】
したがって、外枠４と内枠３との上下および左右の隙間から異物を侵入させて不正行為が行なわれることを確実に阻止することができる。
【００３８】
なお、上記した忍び返し用金属プレート５５ｃは、内枠３の面に対して起立した鈎形の折り曲げ縁部（起立片５６ｂと嵌合片５６ｃ）を全長にわたって有しているので、この忍び返し用金属プレート５５ｃが内枠３の補強材としても機能することとなり、合成樹脂製内枠の強度（剛性）を高めることができる。
【００３９】
また、上記金属プレート５５ｃは、上端部と下端部に、ヒンジ５，５の一部を構成する部材を一体に形成してある。具体的には、金属プレート５５ｃの上端を前方に折り曲げて該屈曲部に軸５ｂを下向きに固定し、この軸５ｂを前記軸受部５ａ内に嵌合するヒンジ用軸とし、また、下端部を前方に折り曲げ該屈曲部に軸受孔を開設し、この軸受孔をヒンジ用軸孔とする。この様に、金属プレート５５ｃにヒンジ用の部材を一体に形成すると、これらに相当する部材を別個に作成するよりも安価である。なお、下端に形成した軸受孔の相手側となる金属ピン５ｃは、図４に示すように、外枠４に形成した突部に上向きに圧入されている。
【００４０】
さらに、上記金属プレート５５ｃには、その起立片５６ｃと反対側の遊技盤収納枠８寄りに、配線等のためのコードバインダー片５６ｄを一体に形成し、遊技盤収納枠８の側面との間で配線を挟持するように構成してある。なお、このコードバインダー片５６ｄは、金属プレート５５ｃの全長にわたって形成する必要はないので、適宜な間隔で数カ所形成すればよい。
【００４１】
また、右縦部材４ｄの受け溝５１内には、図９および図１０に示すように、溝側壁から突出させた小片から成るコードバインダー片５９が、上下方向に離れて２個又はそれ以上配設してある。同様に配線の結束処理を図る目的で、左縦部材４ｃにも、図１１に示すように、比較的浅い断面コ字状の凹溝５１を一体に形成して該凹溝５１内にコードバインダー片５９を形成する。
【００４２】
また、本実施例では図１３に示すように、外枠４の上横部材４ａの受け溝５１を利用して、外枠４自体に電気的部材の一例として賞球・完了ランプ装置を取り付けてある。即ち、受け凹溝５１内には、その補強リブ５３に止着部として形成したボス部５２上にランプ基板６０を載置し、その中央部をネジによりボス部５２に止着する。この賞球・完了ランプ基板６０は、受け凹溝５１の溝延在方向に並べて配設した２つのランプ６１ａ，６１ｂと、その中間に配設された光漏洩防止用の仕切りプレート６２とを担持しており、その配線コード６３は受け溝５１底部に設けた開口部６４を抜けて裏側に導出されている。
【００４３】
そして、内枠３には、この賞球・完了ランプ基板６０の位置に対応させて開口窓６５を開設し、上記２つのランプ６１ａ，６１ｂはこれを通してガラス枠２に嵌め込まれた左右二色の賞球ランプ２３・完了ランプ２４の各レンズを照らし得るように構成されている。したがって、賞球排出時には賞球ランプ２３が、また、打止あるいは球補給状態になると完了ランプ２４がそれぞれ別個に輝いてその旨を可視表示することができる。なお、外枠４の受け凹溝５１内に止着する電気的部材は、上記した賞球・完了ランプに限定されるものではなく、例えば大当りの発生など遊技に関連して点灯・点滅する装飾ランプやこれらの配線コードでもよい。
【００４４】
上記実施例では、嵌合突起部材として忍び返し用金属プレート５５ａ，５５ｂ，５５ｃ，５５ｄを内枠３の裏面に別途取り付けたが、図１４に示すように、内枠３と一体に、嵌合突起部材として突条６６ａ，６６ｂ，６６ｃ，６６ｄを成形してもよい。そして、これら突条６６ａ…が外枠４の受け凹溝５１に嵌合することによって異物侵入阻止部を構成される。ただし、本実施例では金属板から成るヒンジ部材５′，５′は個別に設けることになる。
【００４５】
また、異物侵入阻止部を構成する凹溝と嵌合突起部材は、外枠４の上下の横材４ａ，４ｂ及び左右の縦材４ｃ，４ｄに対応してほぼロ字状に配設したが、これらはロ字状に連結しても、或は２つのＬ字状片に二分割した形態、ロ字状の各辺毎に独立の片とした形態、ロ字状の各辺のうち１辺又は２辺を省いた形態など、或は一部を欠截した形態など任意の形態がとりうる。
【００４６】
また、上記した実施例はパチンコ遊技機１について説明したが、本発明はこれに限定されるものではなく、例えばパチスロ遊技機、アレンジボール遊技機、雀球遊技機など、遊技を直接行なう遊技部１０が前面に臨む遊技機であればどのような遊技機でもよい。
【００４７】
【発明の効果】
以上説明したように本発明によれば、内枠の閉状態で該内枠に相対する外枠の前面接合部分に、前方が開口する凹溝を形成し、内枠の裏面接合部分には、内枠を閉じると上記凹溝に嵌合する嵌合突起部材を設け、該嵌合突起部材と凹溝との嵌合によって、遊技機外部からの異物の挿入を阻止する異物侵入阻止部を構成したので、外枠と内枠との間の隙間からピアノ線等の異物が差し込まれても、異物の先端が嵌合突起部材に当接して行く手を阻むことができ、万一嵌合突起部材を超えても異物の先端は凹溝内面に当接して行く手を阻まれる。したがって、外枠と内枠との間の隙間から異物が挿入されたとしても、この異物が遊技機内部の機構に到達することがなく、異物の挿入による不正行為を確実に防止することができる。
【００４８】
また、異物侵入阻止部を構成する凹溝と嵌合突起部材が防犯機能のみならず、外枠と内枠の補強材としても機能するので、外枠と内枠を合成樹脂で成形しても必要十分な強度を確保できる。したがって、木材よりも撓みやすいという特性を有する合成樹脂で外枠と内枠を成形しても、接合部分に内枠と外枠との接合部分に力を加えた場合に、接合部分に隙間が生じ難くなり、これにより隙間から異物が挿入される可能性を抑制することができる。このため、外枠と内枠との隙間からピアノ線などの異物を挿入される不正行為の発生を未然に防止することができる。
【００４９】
そして、異物侵入阻止部を構成する凹溝の内部を電気的部材の収納空間として利用できるので、電気的部材の設置スペースを別途必要としなく、遊技機の限られたスペースの有効利用を図ることができる。また、遊技機の外周端部にもランプ表示器などを何等支障なく配置することができ、遊技機前面の全域を有効に活用することができる。
【図面の簡単な説明】
【図１】パチンコ遊技機の正面図である。
【図２】パチンコ遊技機の斜視図である。
【図３】ガラス枠を開いた状態におけるパチンコ遊技機の斜視図である。
【図４】外枠に対する内枠の取付を示す斜視図である。
【図５】パチンコ遊技機の背面図である。
【図６】外枠の正面図である。
【図７】外枠の上横部材および該上横部材に取り付ける補強金属板の斜視図である。
【図８】（ａ）は外枠の下部の斜視図、（ｂ）は外枠の底面図、（ｃ）は下横部材に取り付ける補強金属板の斜視図である。
【図９】外枠の右上部隅角部の拡大斜視図である。
【図１０】外枠の右縦部材の断面図である。
【図１１】パチンコ遊技機の外枠に内枠が閉じた状態における左縦部材を一部断面にして示す平面図である。
【図１２】パチンコ遊技機の外枠に内枠が閉じた状態における右縦部材を一部断面にして示す平面図である。
【図１３】外枠の左上部隅角部の拡大斜視図である。
【図１４】内枠の背面に嵌合突起部材として突条を一体成型した内枠の他の実施例の後方から見た斜視図である。
【符号の説明】
１  パチンコ遊技機
２  ガラス枠
３  内枠
４  外枠
５  内枠用のヒンジ
６  ガラス枠用のヒンジ
７  開閉パネル
８  遊技盤収納枠
９  遊技盤
１０  遊技部
１２  内枠用のフック
１３  係止部材
１４  ガラス枠用のフック
１５  シリンダ錠
１６  内枠の前面部分
２１  切欠部
２２  シリンダ錠の取付部分
２３  賞球ランプ
２４  完了ランプ
２５  パイロットランプ
２６  装飾ランプ表示器
２７  スピーカ
２８  メッセージ表示部
３１  補強リブ
３２  空部
３３  貫通孔
３４  上横部材に取り付ける補強金属板
３５  段部
３７  裏メカユニット
３９  下横部材に取り付ける補強金属板
４０  平面部
４１  側面部
４２  小孔
４４  滑べり止め突起
４５  貫通孔
４６  貫通孔
５１  受け凹溝
５２  ボス部
５３  受け凹溝内に形成した補強リブ
５４  凹部
５５  金属プレート
５５′止着片
５５″嵌合片
５６ａ  平坦部
５６ｂ  起立片
５６ｃ  嵌合片
５６ｄ  コードバインダー片
５７  軸
５９  受け凹溝内のコードバインダー片
６０  ランプ基板
６１  ランプ
６２  仕切りプレート
６３  配線コード
６４  開口部
６５  開口窓
６６  嵌合突起部材としての突条
【図１】
0003642605.tif 000002
【図２】
0003642605.tif 000003
【図３】
0003642605.tif 000004
【図４】
0003642605.tif 000005
【図５】
0003642605.tif 000006
【図６】
0003642605.tif 000007
【図７】
0003642605.tif 000008
【図８】
0003642605.tif 000009
【図９】
0003642605.tif 000010
【図１０】
0003642605.tif 000011
【図１１】
0003642605.tif 000012
【図１２】
0003642605.tif 000013
【図１３】
0003642605.tif 000014
【図１４】
0003642605.tif 000015